(57)【特許請求の範囲】
【請求項１】
引込鉄塔の側方に三相一括型の二つの主母線を並置し、前記各主母線にそれぞれ接続する相分離型のブッシング引出回線及びケーブル引出回線と、前記主母線間を接続する相分離型の母線区分回線とを主母線と直角に配置し、前記ブッシング引出回線の各ブッシングは引込鉄塔の側方に並置して架線と接続し、前記各ケーブル引出回線のケーブルヘッドは前記主母線間の空間に配置し、前記ケーブルヘッドを地下に形成するケーブル洞道内のケーブルと接続するガス絶縁開閉装置において、前記二つの主母線は一つの引込鉄塔の並びに対して直角で相互を平行に近接させて対向配置し、かつ前記ケーブル洞道は前記主母線間に共通の１本を設け、前記各主母線の引込鉄塔側の端部から順に、前記ブッシング引出回線と、前記母線区分回線と、前記ケーブル引出回線とを主母線に対して直角に配置し、前記各ブッシング引出回線はそれぞれ遮断器を備えた遮断器ユニットを含み、前記遮断器ユニットの少なくとも一方は、前記主母線間に形成された空間に配置して構成したことを特徴とするガス絶縁開閉装置。
【請求項２】
引込鉄塔の側方に三相一括型の二つの主母線を並置し、前記各主母線にそれぞれ接続する相分離型のブッシング引出回線及びケーブル引出回線と、前記主母線間を接続する相分離型の母線区分回線とを主母線と直角に配置し、前記ブッシング引出回線の各ブッシングは引込鉄塔の側方に並置して架線と接続し、前記各ケーブル引出回線のケーブルヘッドは前記主母線間の空間に配置し、前記ケーブルヘッドを地下に形成するケーブル洞道内のケーブルと接続するガス絶縁開閉装置において、前記二つの主母線は一つの引込鉄塔の並びに対して直角で相互を平行に近接させて対向配置し、かつ前記ケーブル洞道は前記主母線間に共通の１本を設け、前記各主母線の引込鉄塔側の端部から順に、前記ブッシング引出回線と、前記母線区分回線と、前記ケーブル引出回線とを、主母線に対して直角に配置すると共に、前記各ケーブル引出回線は主母線に沿って交互に配置し、かつ前記各ブッシング引出回線はそれぞれ遮断器を備えた遮断器ユニットを含み、前記遮断器ユニットの少なくとも一方は、前記主母線間に形成された空間に配置して構成したことを特徴とするガス絶縁開閉装置。
【請求項３】
請求項１又は２において、前記各ケーブル引出回線はそれぞれ縦型遮断器を備えた遮断器ユニットを含み、前記ケーブルヘッドと前記遮断器ユニットとの間に、前記各ケーブル引出回線の接続対象の前記主母線を挟み込んで配置して構成したことを特徴とするガス絶縁開閉装置。
【請求項４】
請求項１又は２において、前記各母線区分回線はそれぞれ遮断器を備えた遮断器ユニットを含み、前記遮断器ユニットを主母線間に形成された空間に配置して構成したことを特徴とするガス絶縁開閉装置。
【発明の詳細な説明】
技術分野
本発明は、変電所や開閉所などの電気所に設置されるガス絶縁開閉装置に関する。
背景技術
変電所等では、外部から高電圧を取り込む、或いは、高電圧を外部に供給する。しかも、１の架線箇所のみではなく、複数の架線から高電圧を扱うようにしている。そのため、ガス絶縁開閉装置を用いて、複数の架線からの高電圧を母線に集約して扱うと共に、落雷等があったときに回線を切り離すようにしている。
複数の架線の高電圧は、まず、高絶縁材で構成されるブッシングで受けている。ブッシングとブッシングの間は空気で絶縁をとることとなるので、充分に離して設置する。ブッシングで受けた高電圧は引込回線を介して主母線に導いており、また、冗長系のため母線を２本とっているが、ブッシングとブッシングの間が離れているため、外側から２本の主母線に接続することとなる。
発明の開示
ブッシングの並びに対して母線を垂直に配置した場合、ブッシング引出線と母線の間に遮断器を設けることが考えられる。その場合、一般には、母線と母線を狭く設計する。このように、ブッシング接続回線は母線区分回線に接続されるが、母線の間隔が狭く設定されると、例えば、ブッシング接続回線の遮断器は母線の外側に配置されることとなり、ガス絶縁開閉装置の敷地面積が大きくなってしまう。
なお、例えば特開昭６３−６９４０６号公報に記載される技術では、平行に対向配置され、母線区分回線によって接続された二つの主母線を備え、二つの主母線間に形成された空間には送電線回線及び変圧器回線のケーブルヘッド，母線区分回線の補助母線などが配置されている。しかしながら、母線区分回線の外側に各回線の遮断器が配置されており、主母線間に形成された空間は考慮されていない。
一方、電気所に設置された変圧器とガス絶縁開閉装置との間の地下部分には、変圧器とガス絶縁開閉装置とを電気的に接続するケーブルを収納したケーブル洞道が形成されている。ケーブル洞道は、電気所に設置されるガス絶縁開閉装置の配置構成に基づいてルート計画され施工されるものであり、電力会社がこれを行う。ガス絶縁開閉装置の配置構成によってはケーブル洞道の構成が複雑化し、施工における電力会社側の負担が大きくなる場合がある。従って、ケーブル洞道の構成を簡素化できるガス絶縁開閉装置の提供が好ましい。
また、従来のガス絶縁開閉装置は、母線区分回線が二つの主母線の一端部に配置されているので、その一端部と対向するようにブシングが設置された場合、二つの主母線とブッシングを接続する回線が母線区分回線のブッシング側とは反対側に配置される。これにより、二つの主母線とブッシングを接続する回線の接続距離が大きくなり、ガス絶縁開閉装置の経済性が低下する。
本発明の代表的な目的は、ケーブル洞道の構成の簡素化と装置の経済性の向上を両立できるガス絶縁開閉装置の提供にある。
上記目的を達成するため、本発明は、互いに並列配置された第１及び第２の主母線と、第１及び第２の主母線の一方端側にそれぞれ電気的に接続される第１及び第２ケーブル引出回線と、第１及び第２の主母線の他方端側にそれぞれ電気的に接続される第１及び第２のブッシング引出回線と、ブッシング引出回線よりケーブル引出回線側で第１及び第２の主母線間を電気的に接続する母線区分回線と、ブッシング引出回線の少なくとも１は、主母線の間に配置され主母線への電力を遮断する遮断器ユニットと、第１或いは第２の主母線の一方と交差するように配置されて遮断器にユニットへ電力を導く接続ユニットを有するように構成した。
さらに、本発明の基本的な特徴は、引込鉄塔の並びに対してほぼ垂直に配置され、ほぼ平行に対向配置された少なくとも二つの主母線それぞれの引込鉄塔側端部にブッシング引出回線を接続し、二つの主母線それぞれに接続されたケーブル引出回線のケーブルヘッドユニットを二つの主母線間に形成された空間に配置したことにある。
このケーブルヘッドユニットは、主母線の一方側に接続されたケーブル引出回線のケーブルヘッドユニットと主母線の他方側に接続されたケーブル引出回線のケーブルヘッドユニットが対向して配置される。或いは主母線に沿って一列に並設される。
また、二つの主母線間に形成された空間には、二つの主母線間を接続する母線区分回線の遮断器ユニット，ブッシング引出回線の遮断器ユニットを配置することもできる。尚、ケーブル引出回線のケーブルユニットが主母線に沿って一列に並設される場合は、主母線の一方側に接続されたブッシング引出回線の遮断器ユニットと主母線の他方側に接続されたブッシング引出回線の遮断器ユニットのどちらか一方が配置される。
さらにまた、ケーブル引出回線ユニットは母線区分回線よりも引込鉄塔側とは反対側に配置される。
【発明の実施の形態】
（実施例１）
本発明の第１実施例を第１図〜第５図に基づき説明する。図５は本実施例のガス絶縁開閉装置の回路構成を示す。図面において１，２は主母線であり、これらは母線区分回線３を介して接続されている。母線区分回線３は遮断器３ａ、この主母線１側に接続された変流器３ｂ，接地開閉器３ｄ，断路器３ｆ，接地開閉器３ｈ及び変成器３ｊ、その主母線２側に接続された変流器３ｃ，接地開閉器３ｅ，断路器３ｇ，接地開閉器３ｉ及び変成器３ｋを備えている。
主母線１とブッシング１０の間にはブッシング引出回線４が接続され、主母線２とブッシング１１の間にはブッシング引出回線５が接続されている。ブッシング引出回線４は遮断器４ａ、この主母線１側に接続された変流器４ｂ，接地開閉器４ｄ及び断路器４ｆ、そのブッシング１０側に接続された変流器４ｃ，接地開閉器４ｅ，断路器４ｇ、接地装置付断路器４ｈ、避雷器４ｉ及び変成器４ｊを備えている。ブッシング引出回線５は遮断器５ａ、この主母線２側に接続された備えた変流器５ｂ，接地開閉器５ｄ及び断路器５ｆ、そのブッシング２０側に接続され変流器５ｃ，接地開閉器５ｅ，断路器５ｇ，接地装置付断路器５ｈ，避雷器５ｉ及び変成器５ｊを備えている。
主母線１にはケーブル引出回線６が接続されている。主母線２にはケーブル引出回線７が接続されている。ケーブル引出回線６は遮断器６ａ、この主母線１側に接続された変流器６ｂ，接地開閉器６ｄ及び断路器６ｆ、その主母線１側とは反対側に接続された変流器６ｃ，接地開閉器６ｅ及びケーブルヘッド６ｇを備えている。ケーブル引出回線７は遮断器７ａ、この主母線２側に接続された変流器７ｂ，接地開閉器７ｄ及び断路器７ｆ、その反主母線２側とは反対側に接続された変流器７ｃ，接地開閉器７ｅ及びケーブルヘッド７ｇを備えている。
８，９（点線部分）は、将来増設されるケーブル引出回線であり、ケーブル引出回線６，７と同様に遮断器，変流器，接地開閉器，断路器及びケーブルヘッドを備えている。
第１図〜第４図は第５図の回路構成が適用された実際のガス絶縁開閉装置の装置構成を示す。主母線１，２は母線ユニット３０，４０から構成されると共に、平行に対向配置され、かつ引込鉄塔１１０の並びに対して垂直に配置されている。母線ユニット３０，４０は、絶縁媒体であるＳＦ６（六弗化硫黄）ガスが封入されたタンク内に母線導体が三相分一括で収納され構成されている。タンクは金属製の接地容器である。
主母線１，２を接続する母線区分回線３は遮断器ユニット５０，変流器ユニット５１，５２，開閉器ユニット５３，５４，接続母線ユニット５５，５６及び変成器ユニット５７，５８から相分離で構成され、主母線１，２に対して垂直に配置されている。各ユニットは、ＳＦ６ガスが封入されたタンク内に母線区分回線３の構成機器や導体が収納され構成されている。タンクは金属製の接地容器である。
遮断器ユニット５０は遮断器３ａを備えると共に、主母線１，２間に形成された空間に配置されている。尚、遮断器ユニット５０は主母線１の主母線２側とは反対側或いは主母線２の主母線１側とは反対側に配置されてもよい。遮断器ユニット５０の主母線１側には、変流器３ｂを備えた変流器ユニット５１が接続されている。遮断器ユニット５０の主母線２側には、変流器３ｃを備えた変流器ユニット５２が接続されている。ここで、遮断器３ａは縦形であるので、変流器ユニット５１は遮断器ユニット５０の下端側に接続され、変流器ユニット５２は遮断器ユニット５０の上端側に接続される。また、変流器ユニット５１が上端側、変流器ユニット５２が下端側であってもよい。
変流器ユニット５１の遮断器ユニット５０側とは反対側には、断路器３ｆ及び接地開閉器３ｄ，３ｈを備えた開閉器ユニット５３が接続されている。変流器ユニット５２の遮断器ユニット５０側とは反対側には、断路器３ｇ及び接地開閉器３ｅ，３ｉを備えた開閉器ユニット５４が接続されている。開閉器ユニット５３は、接続母線を備えた接続母線ユニット５５を介して母線ユニット３０に接続され、開閉器ユニット５４は、接続母線を備えた接続母線ユニット５６を介して母線ユニット４０に接続されている。接続母線ユニット５５には、変成器３ｊを備えた変成器ユニット５７が接続され、接続母線ユニット５５には、変成器３ｋを備えた変成器ユニット５８が接続されている。
主母線１とブッシング１０を接続するブッシング引出回線４は遮断器ユニット６０，変流器ユニット６１，６２（或いは単に接続ユニットと称する），開閉器ユニット６３，６４（或いは単に接続ユニットと称する），接続母線ユニット６５，分岐母線ユニット６６，図示省略した避雷器ユニット及び変成器ユニットから構成され、主母線１の引込鉄塔１１０側側端部に配置されている。各ユニットは、ＳＦ６ガスが封入されたタンク内にブッシング引出回線４の構成機器や導体が収納され構成されている。タンクは金属製の接地容器である。
遮断器ユニット６０，変流器ユニット６１，６２，開閉器ユニット６３，６４及び接続母線ユニット６５から構成される部分は相分離で構成され、主母線１に対して垂直配置されている。分岐母線ユニット６６は三相一括で構成されると共に、主母線１と同方向に延伸し、ブッシング１０の近傍においてブッシング１０の並びに沿って各相毎に分岐され、ブッシング１０に接続されている。図示省略した避雷器ユニット及び変成器ユニットはブッシング１０に各相毎に接続されている。
遮断器ユニット６０は遮断器４ａを備えると共に、主母線１，２間に形成された空間に後述するブッシング引出回線７の遮断器ユニット７０と対向して配置されている。尚、遮断器ユニット６０は主母線１の遮断器ユニット６０の主母線１側には、変流器４ｂを備えた変流器ユニット６１及び変流器４ｃを備えた変流器ユニット６２が接続されている。ここで、遮断器４ａは縦形であるので、変流器ユニット６１は遮断器ユニット６０の下端側に接続され、変流器ユニット６２は遮断器ユニット６０の上端側に接続される。
変流器ユニット６１の遮断器ユニット６０側とは反対側には、断路器４ｆ及び接地開閉器４ｄを備えた開閉器ユニット６３が接続されている。変流器ユニット６２の遮断器ユニット６０側とは反対側には、断路器４ｇ，接地開閉器４ｅ及び接地装置付断路器４ｈを備えた開閉器ユニット６４が接続されている。開閉器ユニット６３は母線ユニット３０に接続されている。開閉器ユニット６４は、接続母線を備えた接続母線ユニット６５を介して分岐母線ユニット６６に接続されている。
主母線２とブッシング２０を接続するブッシング引出回線５は遮断器ユニット７０，変流器ユニット７１，７２，開閉器ユニット７３，７４，接続母線ユニット７５，分岐母線ユニット７６，図示省略した避雷器ユニット及び変成器ユニットから構成され、主母線２の引込鉄塔１１０側端部にブッシング引出回線４と対向するように配置されている。各ユニットは、ＳＦ６ガスが封入されたタンク内にブッシング引出回線５の構成機器や導体が収納され構成されている。タンクは金属製の接地容器である。
遮断器ユニット７０，変流器ユニット７１，７２，開閉器ユニット７３，７４及び接続母線ユニット７５から構成される部分は相分離で構成され、主母線２に対して垂直配置されている。分岐母線ユニット７６は三相一括で構成されると共に、主母線２と同方向に延伸し、ブッシング２０の近傍においてブッシング２０の並びに沿って各相毎に分岐され、ブッシング２０に接続されている。図示省略した避雷器ユニット及び変成器ユニットはブッシング２０に各相毎に接続されている。
遮断器ユニット７０は遮断器５ａを備えると共に、主母線１，２間に形成された空間に前述したブッシング引出回線６の遮断器ユニット６０と対向して配置されている。遮断器ユニット７０の主母線２側には、変流器５ｂを備えた変流器ユニット７１及び変流器５ｃを備えた変流器ユニット７２が接続されている。ここで、遮断器５ａは縦形であるので、変流器ユニット７１は遮断器ユニット７０の下端側に接続され、変流器ユニット７２は遮断器ユニット７０の上端側に接続される。
変流器ユニット７１の遮断器ユニット７０側とは反対側には、断路器５ｆ及び接地開閉器５ｄを備えた開閉器ユニット７３が接続されている。変流器ユニット７２の遮断器ユニット７０側とは反対側には、断路器５ｇ、接地開閉器５ｅ及び接地装置付断路器５ｈを備えた開閉器ユニット７４が接続されている。開閉器ユニット７３は母線ユニット４０に接続されている。開閉器ユニット７４は、接続母線を備えた接続母線ユニット７５を介して分岐母線ユニット７６に接続されている。
尚、本実施例においては、遮断器ユニット６０，７０を主母線１，２間に形成された空間に配置した場合について説明したが、遮断器ユニット６０を主母線１の主母線２側とは反対側に配置し、遮断器ユニット７０を主母線２の主母線１側とは反対側に配置してもよい。また、遮断器ユニット６０，７０のとちらか一方が主母線１，２間に形成された空間に配置されてもよい。
主母線１に接続されたケーブル引出回線６は遮断器ユニット８０，変流器ユニット８１，８２，開閉器ユニット８３，８４及びケーブルヘッドユニット８５から相分離で構成されると共に、主母線１に対して垂直配置され、かつ主母線１の母線区分回線３よりも引込鉄塔１１０側とは反対側に接続されている。各ユニットは、ＳＦ６ガスが封入されたタンク内にケーブル引出回線６の構成機器や導体が収納され構成されている。タンクは金属製の接地容器である。
遮断器ユニット８０は遮断器６ａを備えると共に、主母線１の主母線２側とは反対側に配置されている。遮断器ユニット８０の主母線１側には、変流器６ｂを備えた変流器ユニット８１及び変流器６ｃを備えた変流器ユニット８２が接続されている。ここで、遮断器６ａは縦形であるので、変流器ユニット８１は遮断器ユニット８０の下端側に接続され、変流器ユニット８２は遮断器ユニット８０の上端側に接続される。
変流器ユニット８１の遮断器ユニット８０側とは反対側には、断路器６ｆ及び接地開閉器６ｄを備えた開閉器ユニット８３が接続され、変流器ユニット８２の遮断器ユニット８０側とは反対側には、接地開閉器６ｅを備えた開閉器ユニット８４が接続されている。開閉器ユニット８３は母線ユニット３０に接続されている。開閉器ユニット８４には、ケーブルヘッド６ｇを備えたケーブルヘッドユニット８５が接続されている。
ケーブルヘッドユニット８５は、主母線１，２間に形成された空間に、後述するケーブル引出回線７のケーブルヘッドユニット９５と対向配置されている。ケーブルヘッドユニット８５の真下の地下部分にはケーブル洞道１００が形成されている。ケーブル洞道１００は図示省略した変圧器の設置しているところまで延伸しており、そこには、変圧器とガス絶縁開閉装置を電気的に接続するケーブルが収納されている。このケーブルはケーブルヘッドユニット８５のケーブルヘッド６ｇに接続されている。
主母線２に接続されたケーブル引出回線７は遮断器ユニット９０、変流器ユニット９１，９２，開閉器ユニット９３，９４及びケーブルヘッドユニット９５から相分離で構成されると共に、主母線２に対して垂直配置され、かつ主母線２のケーブル引込回線６と対向する部分に接続されている。各ユニットは、ＳＦ６ガスが封入されたタンク内にケーブル引出回線７の構成機器や導体が収納され構成されている。タンクは金属製の接地容器である。
遮断器ユニット９０は遮断器７ａを備えると共に、主母線２の主母線１側とは反対側に配置されている。遮断器ユニット９０の主母線２側には、変流器７ｂを備えた変流器ユニット９１及び変流器７ｃを備えた変流器ユニット９２が接続されている。ここで、遮断器７ａは縦形であるので、変流器ユニット９１は遮断器ユニット９０の下端側に接続され、変流器ユニット９２は遮断器ユニット９０の上端側に接続される。
変流器ユニット９１の遮断器ユニット９０側と反対側には、断路器７ｆと接地開閉器７ｄを備えた開閉器ユニット９３が接続されている。変流器ユニット９２の遮断器ユニット９０側とは反対側には、接地開閉器７ｅを備えた開閉器ユニット９４が接続されている。開閉器ユニット９３は母線ユニット４０に接続されている。開閉器ユニット９４には、ケーブルヘッド７ｇを備えたケーブルヘッドユニット９５が接続されている。
ケーブルヘッドユニット９５は、主母線１，２間に形成された空間に、後述するケーブル引出回線６のケーブルヘッドユニット８５と対向配置されている。ケーブルヘッドユニット９５の真下の地下部分にはケーブル洞道１００が形成されている。ケーブル洞道１００は図示省略した変圧器の設置しているところまで延伸しており、そこには、変圧器とガス絶縁開閉装置を電気的に接続するケーブルが収納されている。このケーブルはケーブルヘッドユニット９５のケーブルヘッド７ｇに接続されている。
尚、８，９は、将来増設されるケーブル引出回線８，９であり、上述したケーブル引出回線６，７と同様に構成され、主母線１，２に接続される。
本実施例によれば、ケーブル引出回線６のケーブルヘッドユニット８５及びケーブル引出回線７のケーブルヘッドユニット９５を主母線１，２間に形成された空間に配置したので、ケーブルヘッドユニット８５，９５の真下の地下部分に形成されるケーブル洞道１００を１本道で構成でき、ケーブル洞道１００の構成を簡素化できる。従って、ケーブル洞道１００のルート計画が行い易くなり、かつその施工における電力会社側の負担が軽減される。
また、本実施例によれば、主母線１の引込鉄塔１１０側端部にブッシング引出回線４を接続し、主母線２の引込鉄塔１１０側端部にブッシング引出回線５を接続したので、ブッシング引出回線４，５の分岐母線の長さを最短にできる。従って、ガス絶縁開閉装置のコストを低減でき、経済性を向上できる。
また、本実施例によれば、主母線１，２間に形成された空間に母線区分回線３の遮断器ユニット５０を配置したので、母線区分回線３を構成する接続母線の長さが、遮断器ユニット５０を主母線１の主母線２側とは反対側或いは主母線２の主母線１側とは反対側に配置した場合と比べ短縮できる。従って、ガス絶縁開閉装置のコストを低減でき、経済性を向上できる。
また、本実施例によれば、主母線１，２間に形成された空間にブッシング引出回線４，５の遮断器ユニット６０，７０を配置したので、ブッシング引出回線４，５を構成する接続母線の長さを短縮できる。従って、ガス絶縁開閉装置のコストを低減でき、経済性を向上できる。
また、本実施例によれば、主母線１の母線区分回線３よりも引込鉄塔１１０側とは反対側にケーブル引出回線６を接続し、主母線２の母線区分回線３よりも引込鉄塔１１０側とは反対側にケーブル引出回線７を接続したので、将来、ケーブル引出回線を増設する場合は、主母線１，２の引込鉄塔１１０側とは反対側に母線ユニット及びケーブル引出回線を増設するというように、他の回線を構成するユニットを分解することなく行える。従って、ケーブル引出回線の増設時の作業性を向上できる。
（実施例２）
本発明の第２実施例を第６図〜第１０図に基づき説明する。本実施例のガス絶縁開閉装置は第１実施例の改良例であり、主母線１，２の間隔を小さくし、ケーブル洞道１００の更なる簡素化のために、対向配置としていたケーブル引出回線４，５を主母線１，２に沿って交互に配置したものである。このため、ケーブル引出回線４のケーブルヘッドユニット８５とケーブル引出回線５のケーブルヘッドユニット９５は、主母線１，２間に形成された空間において、主母線１，２に沿って一列に並設されている。
尚、将来、ケーブル引出回線８，９が増設され、主母線１，２の母線区分回線３よりも引込鉄塔１１０側とは反対側に複数のケーブル引出回線が接続される場合は、主母線１に接続されるケーブル引出回線のケーブルヘッドユニットと主母線２に接続されるケーブル引出回線のケーブルヘッドユニットが主母線１，２に沿って交互に配置される。従って、主母線１，２間に形成された空間にはケーブルヘッドユニットが主母線１，２に沿って一列に並設される。
また、本実施例では、主母線１，２の間隔が狭くなり、ブッシング引出回線４の遮断器ユニット６０とブッシング引出回線５の遮断器ユニット７０を対向して主母線１，２間に形成された空間に配置できないことから、ブッシング引出回線４の遮断器ユニット６０を主母線１の主母線２側とは反対側に配置し、ブッシング引出回線５の遮断器ユニット７０を主母線１，２間に形成された空間に配置している。遮断器ユニット６０を主母線１，２間に形成された空間に配置し、遮断器ユニット７０を主母線２の主母線１側とは反対側に配置してもよい。
また、本実施例では、ケーブル引出回線４と対向する主母線２部分及びケーブル引出回線５と対向する主母線１部分に他回線の設置スペースが形成されることから、母線区分回線３の開閉器ユニット５４から接地開閉器３ｉを切離し、新たに開閉器ユニット１３０としてケーブル引出回線４と対向する主母線２部分に配置して母線ユニット４０に接続している。開閉器ユニット１３０には変成器ユニット５８を接続している。また、母線区分回線３の開閉器ユニット５３から接地開閉器３ｈを切離し、新たに開閉器ユニット１２０としてケーブル引出回線５と対向する主母線１部分に配置して母線ユニット３０に接続している。開閉器ユニット１２０には変成器ユニット５７を接続している。
この他の構成は前例と実質同様であるので、その説明は省略する。
本実施例によれば、ケーブル引出回線６のケーブルヘッドユニット８５及びケーブル引出回線７のケーブルヘッドユニット９５を主母線１，２に沿って一列に並設したので、前例に比べて、主母線１，２の間隔を狭めることができ、更にケーブル洞道１００の構成を簡素化できる。従って、施工における電力会社側の負担が更に軽減される。
産業上の利用可能性
本発明によれば、二つの主母線それぞれに接続されたケーブル引出回線のケーブルヘッドユニットを二つの主母線間に形成された空間に配置したので、ケーブルヘッドユニットの真下の地下部分に形成されるケーブル洞道を１本道で構成でき、ケーブル洞道の構成を簡素化できる。また、二つの主母線の引込鉄塔側端部にブッシング引出回線を接続したので、二つの主母線とブッシングを接続するブッシング引出回線の接続距離が小さくなる。従って、ケーブル洞道の構成の簡素化と装置の経済性の向上を両立できるガス絶縁開閉装置を提供できる。
【図面の簡単な説明】
第１図は、本発明の第１実施例であるガス絶縁開閉装置の配置構成を示す平面図であり、第２図は図１のＩＩ−ＩＩ矢視断面図であり、母線区分回線の構成を示しており、第３図は図１のＩＩＩ−ＩＩＩ矢視断面図であり、ブッシング引出回線の構成を示しており、第４図は図１のＩＶ−ＩＶ矢視断面図であり、ケーブル引出回線の構成を示しており、第５図は、本発明の第１実施例であるガス絶縁開閉装置の回路構成を示す単結線図であり、第６図は、本発明の第２実施例であるガス絶縁開閉装置の配置構成を示す部分平面図であり、第７図は第６図のＶＩＩ−ＶＩＩ矢視断面図であり、母線区分回線の構成を示しており、第８図は第６図のＶＩＩＩ−ＶＩＩＩ矢視断面図であり、ブッシング引出回線の構成を示しており、第９図は第６図のＩＸ−ＩＸ矢視断面図であり、ケーブル引出回線の構成を示しており、第１０図は第６図のＸ−Ｘ矢視断面図であり、ケーブル引出回線の構成を示す。
【図１】
0003945250.tif 000002
【図２】
0003945250.tif 000003
【図３】
0003945250.tif 000004
【図４】
0003945250.tif 000005
【図５】
0003945250.tif 000006
【図６】
0003945250.tif 000007
【図７】
0003945250.tif 000008
【図８】
0003945250.tif 000009
【図９】
0003945250.tif 000010
【図１０】
0003945250.tif 000011